(57)【要約】【課題】固定刃の刃部は固定刃の表裏面に形成され、上記固定刃の逃げ面は表側の刃部の使用時における逃げ面及び反転後の裏側の刃部の使用時における逃げ面が形成されているから、刃部の摩耗時において、固定刃を表裏反転させて用いることにより裏面の稜線を刃部として使用することができ、それだけ経済性を高めることができ、かつ、固定刃の保持強度を向上することができ、被破砕物の剪断破砕を良好に継続することができ、剪断破砕効率を向上することができる。【解決手段】破砕機体１側に固定刃７の刃部７ａと反対側の基部側を保持可能な押さえ部材１４をもつ固定刃保持機構１２を設けてなる。【選択図】図１
2014104422.tif 000002
【特許請求の範囲】
【請求項１】
破砕機体内に破砕室を形成し、該破砕室内に回転軸を横設し、該回転軸に回転体を配設し、該回転体の外周部分に回転刃を配設し、該破砕機体に該回転刃と協働して被破砕物を剪断破砕する固定刃を配設し、該固定刃のすくい面である表面を上記回転軸の回転軸線に対してずらして配置して該回転刃のすくい面と該固定刃のすくい面とが剪断開始時において或る剪断角度をなして配置され、該回転刃の刃部は略Ｖ状をなして隣り合う二つの直線状の稜線からなり、該固定刃の刃部は該回転刃の刃部としての上記隣り合う二つの直線状の稜線に対向する略Ｖ状をなして隣り合う二つの稜線からなり、上記固定刃の稜線を含む上記回転刃の稜線の回転軌跡面に対面する該固定刃の逃げ面を該回転軌跡面に可及的に近接する近接面に形成し、上記固定刃の刃部は該回転刃の刃部としての上記隣り合う二つの直線状の稜線の上記固定刃のすくい面上における軌跡に適合した略Ｖ状をなして隣り合う二つの凹曲線状の稜線からなり、上記固定刃の刃部は固定刃の表裏面に形成され、上記固定刃の逃げ面は表側の刃部の使用時における逃げ面及び反転後の裏側の刃部の使用時における逃げ面が形成され、かつ、上記破砕機体側に上記固定刃の刃部と反対側の基部側を保持可能な押さえ部材をもつ固定刃保持機構を設けてなることを特徴とする一軸剪断式破砕機。
【請求項２】
上記固定刃保持機構は、上記固定刃の刃部と反対側の基部側後面に凸条部を突設し、上記押さえ部材に該固定刃の凸条部の上下面に当接可能な押さえ面を形成してなることを特徴とする請求項１記載の一軸剪断式破砕機。
【請求項３】
上記各逃げ面は上記刃部の回転軌跡面に近接する平坦面に形成されていることを特徴とする請求項１又は２記載の一軸剪断式破砕機。
【請求項４】
上記各逃げ面は上記刃部の回転軌跡面に近接する弧状面に形成されていることを特徴とする請求項１又は２記載の一軸剪断式破砕機。
【請求項５】
上記回転刃は正方形断面の角柱状に形成され、該回転刃の表面の四個の稜線のうちの略Ｖ状をなして隣り合う二つの稜線及び残りの略Ｖ状をなして隣り合う二つの稜線をそれぞれ刃部とすることを特徴とする請求項１〜４のいずれか１項に記載の一軸剪断式破砕機。
【請求項６】
上記回転刃は正方形断面の角柱状に形成され、該回転刃の表面及び裏面の各四個ずつ計八個の稜線のうちの表面の略Ｖ状をなして隣り合う二つの稜線及び残りの略Ｖ状をなして隣り合う二つの稜線並びに裏面の略Ｖ状をなして隣り合う二つの稜線及び残りの略Ｖ状をなして隣り合う二つの稜線をそれぞれ刃部とすることを特徴とする請求項１〜５のいずれか１項に記載の一軸剪断式破砕機。
【請求項７】
上記回転刃は回転軸の軸線方向にして一定の位相差をもって複数個配設され、上記固定刃は長尺板状に形成され、該固定刃に該複数個の回転刃の略Ｖ状をなして隣り合う二つの稜線からなる複数個の刃部に対向する略Ｖ状をなして隣り合う二つの稜線からなる複数個の刃部を鋸刃状に形成していることを特徴とする請求項１〜６のいずれか１項に記載の一軸剪断式破砕機。
【請求項８】
上記固定刃のすくい面は水平軸線に対して回転軸に向かって前下がり状に傾斜していることを特徴とする請求項１〜７のいずれか１項に記載の一軸剪断式破砕機。
【発明の詳細な説明】
【技術分野】
【０００１】
本発明は例えば都市ゴミ、産業廃棄物等を破砕する一軸剪断式破砕機に関するものである。
【背景技術】
【０００２】
従来、この種の一軸剪断式破砕機として、破砕機体内に破砕室を形成し、破砕室内に回転軸を横設し、回転軸に回転体を配設し、回転体の外周部分に回転刃を配設し、破砕機体に回転刃と協働して被破砕物を剪断破砕する固定刃を配設し、固定刃のすくい面である表面を上記回転軸の回転軸線に対してずらして配置して回転刃のすくい面と該固定刃のすくい面とが剪断開始時において或る剪断角度をなして配置され、回転刃の刃部は略Ｖ状をなして隣り合う二つの直線状の稜線からなり、固定刃の刃部は該回転刃の刃部としての上記隣り合う二つの直線状の稜線に対向する略Ｖ状をなして隣り合う二つの稜線からなる構造のものが知られている。
【先行技術文献】
【特許文献】
【０００３】
【特許文献１】特許第４１６４８１１号
【発明の概要】
【発明が解決しようとする課題】
【０００４】
しかしながらこれら従来構造の場合、図１８の如く、上記固定刃Ａの稜線Ａ１を含む上記回転刃Ｂの稜線Ｂ１の回転軌跡面Ｆに対面する固定刃Ａの逃げ面Ａ２は固定刃Ａの表面としてのすくい面Ａ３に対して直交する面となっており、このため、固定刃Ａの稜線Ａ１と回転刃Ｂの稜線Ｂ１とにより断続的に剪断破砕作用がなされることにより被破砕物の仕様によっては固定刃Ａの稜線Ａ１と逃げ面Ａ２とのなす角度が９０度であって角部分Ｍが摩耗により短期に欠損し易いことがあるという不都合を有している。
【課題を解決するための手段】
【０００５】
本発明はこれらの不都合を解決することを目的とするもので、本発明のうちで、請求項１記載の発明にあっては、破砕機体内に破砕室を形成し、該破砕室内に回転軸を横設し、該回転軸に回転体を配設し、該回転体の外周部分に回転刃を配設し、該破砕機体に該回転刃と協働して被破砕物を剪断破砕する固定刃を配設し、該固定刃のすくい面である表面を上記回転軸の回転軸線に対してずらして配置して該回転刃のすくい面と該固定刃のすくい面とが剪断開始時において或る剪断角度をなして配置され、該回転刃の刃部は略Ｖ状をなして隣り合う二つの直線状の稜線からなり、該固定刃の刃部は該回転刃の刃部としての上記隣り合う二つの直線状の稜線に対向する略Ｖ状をなして隣り合う二つの稜線からなり、上記固定刃の稜線を含む上記回転刃の稜線の回転軌跡面に対面する該固定刃の逃げ面を該回転軌跡面に可及的に近接する近接面に形成し、上記固定刃の刃部は該回転刃の刃部としての上記隣り合う二つの直線状の稜線の上記固定刃のすくい面上における軌跡に適合した略Ｖ状をなして隣り合う二つの凹曲線状の稜線からなり、上記固定刃の刃部は固定刃の表裏面に形成され、上記固定刃の逃げ面は表側の刃部の使用時における逃げ面及び反転後の裏側の刃部の使用時における逃げ面が形成され、かつ、上記破砕機体１側に上記固定刃の刃部と反対側の基部側を保持可能な押さえ部材をもつ固定刃保持機構を設けてなることを特徴とする一軸剪断式破砕機にある。
【０００６】
又、請求項２記載の発明は、上記固定刃保持機構は、上記固定刃の刃部と反対側の基部側後面に凸条部を突設し、上記押さえ部材に該固定刃の凸条部の上下面に当接可能な押さえ面を形成してなることを特徴とするものである。
【０００７】
又、請求項３記載の発明は、上記各逃げ面は上記刃部の回転軌跡面に近接する平坦面に形成されていることを特徴とするものであり、又、請求項４記載の発明は、上記各逃げ面は上記刃部の回転軌跡面に近接する弧状面に形成されていることを特徴とするものである。
【０００８】
又、請求項５記載の発明は、上記回転刃は正方形断面の角柱状に形成され、該回転刃の表面の四個の稜線のうちの略Ｖ状をなして隣り合う二つの稜線及び残りの略Ｖ状をなして隣り合う二つの稜線をそれぞれ刃部とすることを特徴とするものであり、又、請求項６記載の発明は、上記回転刃は正方形断面の角柱状に形成され、該回転刃の表面及び裏面の各四個ずつ計八個の稜線のうちの表面の略Ｖ状をなして隣り合う二つの稜線及び残りの略Ｖ状をなして隣り合う二つの稜線並びに裏面の略Ｖ状をなして隣り合う二つの稜線及び残りの略Ｖ状をなして隣り合う二つの稜線をそれぞれ刃部とすることを特徴とするものである。
【０００９】
又、請求項７記載の発明は、上記回転刃は回転軸の軸線方向にして一定の位相差をもって複数個配設され、上記固定刃は長尺板状に形成され、該固定刃に該複数個の回転刃の略Ｖ状をなして隣り合う二つの稜線からなる複数個の刃部に対向する略Ｖ状をなして隣り合う二つの稜線からなる複数個の刃部を鋸刃状に形成していることを特徴とするものであり、又、請求項８記載の発明は、上記固定刃のすくい面は水平軸線に対して回転軸に向かって前下がり状に傾斜していることを特徴とするものである。
【発明の効果】
【００１０】
本発明は上述の如く、請求項１記載の発明にあっては、破砕機体内の破砕室に被破砕物を供給し、破砕室内において、回転刃の回転により固定刃との協動で被破砕物は剪断破砕され、固定刃のすくい面である表面を回転軸の回転軸線に対してずらして配置して回転刃のすくい面と固定刃のすくい面とが剪断開始時において或る剪断角度をなして配置されているので、略Ｖ状をなして隣り合う二つの稜線からなる刃部と略Ｖ状をなして隣り合う二つの稜線からなる刃部とが同時に近接してなす線状破砕に伴う大きな破砕抵抗よりも小さな破砕抵抗とすることになり、この際、上記固定刃の刃部としての稜線を含む上記回転刃の刃部としての稜線の回転軌跡面に対面する固定刃の逃げ面を回転軌跡面に可及的に近接する近接面に形成してなるから、固定刃の刃部としての稜線と逃げ面とのなす角度が９０度以上の鈍角となって、その角部分の耐摩耗性を高めることができ、短期欠損を抑制することができ、かつ、例えば、そのすくい面を含む角部分の欠損が生じたとしても、固定刃の逃げ面は回転軌跡面に可及的に近接する近接面に形成されているので、その欠損後の残りの角部分が新たな刃部として作用することになり、それだけ被破砕物の剪断破砕を良好に継続することができ、剪断破砕効率を向上することができ、上記回転刃の刃部は略Ｖ状をなして隣り合う二つの直線状の稜線からなり、固定刃の刃部は回転刃の刃部としての上記隣り合う二つの直線状の稜線の上記固定刃のすくい面上における軌跡に適合した略Ｖ状をなして隣り合う二つの凹曲線状の稜線の一部により形成されているので、剪断破砕がなされる固定刃のすくい面上においては、回転刃の直線状の稜線からなる刃部は固定刃の刃部に対して一定のクリアランスを保持することができ、刃先、中程部及び刃元において、揃った一定のクリアランスを形成することができ、従って、例えばラップフィルムやフィルムシート状の被破砕物の剪断破砕を良好に行うことができ、それだけ剪断破砕効率を向上することができ、上記固定刃の刃部は固定刃の表裏面に形成され、上記固定刃の逃げ面は表側の刃部の使用時における逃げ面及び反転後の裏側の刃部の使用時における逃げ面が形成されているから、刃部の摩耗時において、固定刃を表裏反転させて用いることにより裏面の稜線を刃部として使用することができ、それだけ経済性を高めることができ、かつ、上記破砕機体側に上記固定刃の刃部と反対側の基部側を保持可能な押さえ部材をもつ固定刃保持機構を設けているから、固定刃の保持強度を向上することができ、被破砕物の剪断破砕を良好に継続することができ、剪断破砕効率を向上することができる。
【００１１】
又、請求項２記載の発明にあっては、上記固定刃保持機構は、上記固定刃の刃部と反対側の基部側後面に凸条部を突設し、上記押さえ部材を断面Ｔ状の長尺状に形成して固定刃の凸条部の上下面に当接可能な押さえ面を形成しているから、固定刃の凸条部の上下面と押さえ部材の押さえ面との当接作用により上記固定刃の刃部と反対側の基部側を確実に保持することができ、固定刃を取り付ける取付ボルトの破断も確実に防ぐことができる。
【００１２】
又、請求項３記載の発明にあっては、上記各逃げ面は上記刃部の回転軌跡面に近接する平坦面に形成されているから、固定刃を表裏反転して表裏面の刃部を使用することができ、又、請求項４記載の発明にあっては、上記各逃げ面は上記刃部の回転軌跡面に近接する弧状面に形成されているから、固定刃を表裏反転して表裏面の刃部を使用することができる。
【００１３】
又、請求項５記載の発明にあっては、上記回転刃は正方形断面の角柱状に形成され、回転刃の表面の四個の稜線のうちの略Ｖ状をなして隣り合う二つの稜線を刃部としているから、回転刃の製作を容易に行うことができると共に刃部の摩耗時において、回転刃を１８０度回転させることにより、他の稜線を刃部として使用することができ、それだけ経済性を高めることができ、又、請求項６記載の発明にあっては、上記回転刃は正方形断面の角柱状に形成され、回転刃の表面及び裏面の各四個ずつ計八個の稜線のうちの表面の略Ｖ状をなして隣り合う二つの稜線及び残りの略Ｖ状をなして隣り合う二つの稜線並びに裏面の略Ｖ状をなして隣り合う二つの稜線及び残りの略Ｖ状をなして隣り合う二つの稜線をそれぞれ刃部としているので、回転刃の製作を容易に行うことができると共に刃部の摩耗時において、回転刃を１８０度回転させると共に表裏反転させることにより、計八個の稜線を刃部として使用することができ、経済性を高めることができる。
【００１４】
又、請求項７記載の発明にあっては、上記回転刃は回転軸の軸線方向にして一定の位相差をもって複数個配設され、上記固定刃は長尺板状に形成され、固定刃に複数個の回転刃の略Ｖ状をなして隣り合う二つの稜線からなる複数個の刃部に対向する略Ｖ状をなして隣り合う二つの稜線からなる複数個の刃部を鋸刃状に形成しているから、複数個の回転刃と複数個の固定刃により剪断破砕がなされ、被破砕物の破砕効率を高めることができ、又、請求項８記載の発明にあっては、上記固定刃のすくい面は水平軸線に対して回転軸に向かって前下がり状に傾斜しているので、被破砕物を回転刃に向けて自重によって落走させる作用を得ることができ、それだけ被破砕物の給送を確実に行うことができる。
【図面の簡単な説明】
【００１５】
【図１】本発明の実施の第一形態例の側断面図である。
【図２】本発明の実施の第一形態例の拡大側断面図である。
【図３】本発明の実施の第一形態例の部分斜視図である。
【図４】本発明の実施の第一形態例の部分平面図である。
【図５】本発明の実施の第一形態例の部分分解斜視図である。
【図６】本発明の実施の第一形態例の部分正面図である。
【図７】本発明の実施の第一形態例の部分正面図である。
【図８】本発明の実施の第一形態例の説明平面図である。
【図９】本発明の実施の第一形態例の説明平面図である。
【図１０】本発明の実施の第一形態例の固定刃の断面図である。
【図１１】本発明の実施の第一形態例の固定刃の部分拡大平面図である。
【図１２】本発明の実施の第一形態例の部分分解斜視図である。
【図１３】本発明の実施の第一形態例の部分斜視図である。
【図１４】本発明の実施の第一形態例の固定刃の部分断面図である。
【図１５】本発明の実施の第二形態例の固定刃の断面図である。
【図１６】本発明の実施の第三形態例の固定刃の断面図である。
【図１７】本発明の実施の第四形態例の固定刃の断面図である。
【図１８】従来構造の拡大側断面図である。
【発明を実施するための形態】
【００１６】
図１乃至図１７は本発明の実施の形態例を示しており、図１乃至図１４は実施の第一形態例、図１５は第二形態例、図１６は第三形態例、図１７は第四形態例である。
【００１７】
図１乃至図１４の第一形態例において、１は破砕機体であって、内部に破砕室２が形成され、破砕室２の上側方位置に被破砕物Ｗの滞留部分３を斜め下向きに押し込み可能な図示省略の押し込み機構を配設し、破砕室２内に回転軸４を横設し、回転軸４を回転させる図外の回転機構を配設し、この回転軸４にロール状の回転体５を配設し、回転体５の外周部分に複数個の回転刃６を一定の位相差をもってつるまき状に配設し、破砕機体１に回転刃６と協働して被破砕物Ｗを剪断破砕する固定刃７を配設し、回転刃６の下方位置に排出穴８ａをもつスクリーン板８を配置している。
【００１８】
この場合、回転刃６は、図２、図３、図６、図７の如く、正方形断面の角柱状に形成され、その表面の四個の稜線のうちの略Ｖ状をなして隣り合う二つの稜線及び残りの略Ｖ状をなして隣り合う二つの稜線をそれぞれ刃部６ａとしてなり、かつ、その裏面の四個の稜線のうちの略Ｖ状をなして隣り合う二つの稜線及び残りの略Ｖ状をなして隣り合う二つの稜線をそれぞれ刃部６ａとしてなり、しかして、表面の四個の刃部６ａ及び裏面の四個の刃部６ａの隣り合う二つの稜線のなす角度φは９０度となっており（φ＝９０度）、上記回転体５の外周面に複数個の弧状溝５ａを並列形成し、各弧状溝５ａの中央位置に嵌着凹溝５ｂを一定の位相差をもってつるまき状に配列形成し、嵌着凹溝５ｂに取付ブロック９をボルト１０により取付け、取付ブロック９に９０度のＶ状受面９ａを形成し、Ｖ状受面９ａに回転刃６の隣る両側面を載置嵌着し、止着ボルト１１により回転刃６を取付ブロック９に着脱自在に固定すると共に回転刃６を上記回転体５に取り付けた取付ブロック９に対して１８０度回転して他の隣る稜線を刃部６ａとして使用可能に構成すると共に回転刃６を表裏反転して取付ブロック９に取付けることにより表面の四個の刃部６ａ及び裏面の四個の刃部６ａの計八個の稜線を刃部として使用可能に構成している。
【００１９】
又、固定刃７は、長尺板状に形成され、上記複数個の回転刃６の略Ｖ状をなして隣り合う二つの稜線からなる刃部６ａに対向する略Ｖ状をなして隣り合う二つの稜線からなる刃部７ａからなり、この刃部７ａは固定刃７の表裏面に形成され、この場合、図２、図４、図５、図８の如く、回転刃６の刃部６ａとしての二つの稜線はそのなす角度がφ＝９０度の直線となっているから、固定刃７の表面であるすくい面７ｂ上での回転刃６の刃部６ａの軌跡Ｐを解析して求め、その軌跡Ｐは角度φより小さな変化する角度βにして（β＜φ）、この場合φ＝９０度のため９０度より小さく（β＝約８０度＜９０）、かつその軌跡Ｐは凹曲線状になるので、その軌跡Ｐに対して適合して一定のクリアランスＣを保持可能な隣り合う稜線が凹曲線状からなる刃部７ａを形成し、しかして、図９の如く、固定刃７のすくい面７ｂ上においては、回転刃６の直線状の稜線からなる刃部６ａは固定刃７の刃部７ａに対して一定のクリアランスＣを保持し、この刃部７ａを上記複数個の回転刃６の数に応じた数の複数個形成して、全体として鋸刃状に形成されている。
【００２０】
１２は固定刃保持機構であって、図１２、図１３、図１４の如く、上記破砕機体１側に上記固定刃７の刃部７ａと反対側の基部側を保持可能な押さえ部材１４を備えてなり、この場合、上記破砕機体１側に取付座体１３を取付け、取付座体１３に載置凹部１３ａを形成し、載置凹部１３ａに固定刃７及び固定刃７の刃部７ａと反対側の基部側に押さえ部材１４を載置し、固定刃７の基部側後面に凸条部７ｄを突設し、押さえ部材１４を断面Ｔ状の長尺状に形成して固定刃７の凸条部７ｄの上下面７ｅ・７ｅに当接可能な押さえ面１４ａ・１４ａを形成し、載置凹部１３ａの後内面に押さえ部材１４の押さえ面１４ａ・１４ａが当接する受け面１３ｂを形成し、取付座体１２に固定刃７を取付ボルト１５により着脱自在に取付固定すると共に取付座体１２に押さえ部材１４を取付ボルト１６により着脱自在に取付固定し、固定刃７を表裏反転して使用可能に設けると共に固定刃７の基部側後面の凸条部７ｄの上下面７ｅ・７ｅ及び載置凹部１３ａの後内面に形成された受け面１３ｂを押さえ部材１４の押さえ面１４ａ・１４ａにより押さえて固定刃７の基部側を保持可能に構成している。
【００２１】
又、この場合、上記固定刃７の表面としてのすくい面７ｂは水平軸線Ｌに対して回転軸４に向かって前下がり状に角度α分傾斜配置され、かつ上記固定刃７の表面としてのすくい面７ｂが上記回転軸４の回転軸線Ｏに対して距離Ｅ分ずらして配置され、これにより上記回転刃６の回転方向前面であるすくい面６ｂと上記固定刃７の表面であるすくい面７ｂとが剪断開始時において或る剪断角度θをなすように配置構成されている。
【００２２】
更に、この場合、上記固定刃７の稜線としての刃部７ａを含む上記回転刃６の稜線としての刃部６ａの回転軌跡面Ｆに対面する固定刃７の逃げ面７ｃを回転軌跡面Ｆに可及的に近接する近接面に形成している。
【００２３】
この場合、逃げ面７ｃは、固定刃７を表裏反転して表裏面の刃部７ａ・７ａを使用するようにしているため、表側の刃部７ａの使用時における逃げ面７ｃ及び反転後の裏側の刃部７ａの使用時における逃げ面７ｃが形成され、上記刃部６ａの回転軌跡面Ｆに近接する平坦面に形成されている。
【００２４】
又、この場合、上記回転刃６の刃部６ａとしての隣り合う二つの直線状の稜線の上記固定刃７のすくい面７ｂ上における軌跡Ｐに適合した略Ｖ状をなして隣り合う二つの凹曲線状の稜線からなる上記固定刃７の刃部７ａに連なる固定刃７の表裏面である各すくい面７ｂ・７ｂにそれぞれ工具すくい角δを付与している。
【００２５】
ここでいう工具すくい角δとは、工具すくい角δを付与する前の状態の固定刃７の表面（又は裏面）と固定刃７の刃部７ａに連なる各すくい面７ｂ・７ｂとのなす角度をいう。
【００２６】
この工具すくい角δは、５°以上、３５°以下の範囲とされ、工具すくい角δが５°以下であると剪断破砕性は低下するが刃先強度は向上して工具摩耗が低減し、工具すくい角δが３５°以上であると剪断破砕性は向上するが刃先強度は低下して工具摩耗が大きく刃先の欠損が生じやすくなり、これらを考慮して、工具すくい角δを５°以上、３５°以下の範囲と定めることになる。
【００２７】
この実施の第一形態例は上記構成であるから、図１の如く、人為的又は自動的に、破砕機体１内の破砕室２に図外のホッパーを介して、フィルム、ランナ、プラスチックラップ等の都市ゴミや産業廃棄物等の被破砕物Ｗを投入し、滞留部分３の被破砕物Ｗは図示省略のシリンダ機構等からなる押し込み機構により回転軸４に向けて押し込まれ、破砕室２内において、図示省略のモータ等からなる回転機構により回転軸４が回転し、ロール状の回転体５は回転し、回転体５の回転により回転刃６は図中矢印方向の時計廻りに回転し、固定刃７のすくい面７ｂである表面を回転軸４の回転軸線Ｏに対して距離Ｅ分ずらして配置して回転刃６のすくい面６ｂと固定刃７のすくい面７ｂとが剪断開始時において或る剪断角度θをなして配置されているので、略Ｖ状をなして隣り合う二つの稜線からなる刃部６ａと略Ｖ状をなして隣り合う二つの稜線からなる刃部７ａとが同時に近接してなす線状破砕に伴う大きな破砕抵抗よりも小さな破砕抵抗とすることになり、この回転刃６の回転により破砕機体１に取り付けられた固定刃７との協働により被破砕物Ｗを剪断破砕し、破砕された被破砕物Ｗはスクリーン板８の排出穴８ａを介して落下し、排出穴８ａより大きな被破砕物Ｗは再び上方にまわってから再度剪断破砕され、このようにして被破砕物Ｗの剪断破砕が行われることになる。
【００２８】
この際、図２、図１０、図１１の如く、上記固定刃７の刃部７ａとしての稜線を含む上記回転刃６の刃部６ａとしての稜線の回転軌跡面Ｆに対面する固定刃７の逃げ面７ｃを回転軌跡面Ｆに可及的に近接する近接面に形成してなるから、固定刃７の刃部７ａとしての稜線と逃げ面７ｃとのなす角度が９０度以上の鈍角となって、その角部分Ｍの耐摩耗性を高めることができ、短期欠損を抑制することができ、かつ、例えば、そのすくい面７ｂを含む角部分Ｍの欠損が生じたとしても、固定刃７の逃げ面７ｃは回転軌跡面Ｆに可及的に近接する近接面に形成されているので、その欠損後の残りの角部分Ｍが新たな刃部７ａとして作用することになり、それだけ被破砕物Ｗの剪断破砕を良好に継続することができ、剪断破砕効率を向上することができる。
【００２９】
又、この場合、上記回転刃６の刃部６ａは略Ｖ状をなして隣り合う二つの直線状の稜線からなり、固定刃７の刃部７ａは回転刃６の刃部６ａとしての上記隣り合う二つの直線状の稜線の上記固定刃７のすくい面７ｂ上における軌跡Ｐに適合した略Ｖ状をなして隣り合う二つの凹曲線状の稜線の一部により形成されているので、剪断破砕がなされる固定刃７のすくい面７ｂ上においては、回転刃６の直線状の稜線からなる刃部６ａは固定刃７の刃部７ａに対して一定のクリアランスＣを保持することができ、刃先、中程部及び刃元において、揃った一定のクリアランスＣを形成することができ、従って、例えばラップフィルムやフィルムシート状の被破砕物Ｗの剪断破砕を良好に行うことができ、それだけ剪断破砕効率を向上することができ、又、この場合、上記固定刃７の刃部７ａは固定刃７の表裏面に形成されているから、刃部７ａの摩耗時において、固定刃７を表裏反転させて用いることにより裏面の稜線を刃部７ａとして使用することができ、それだけ経済性を高めることができる。
【００３０】
又、この場合、上記回転刃６は正方形断面の角柱状に形成され、回転刃６の表面の四個の稜線のうちの略Ｖ状をなして隣り合う二つの稜線を刃部６ａとしているから、回転刃６の製作を容易に行うことができると共に刃部６ａの摩耗時において、回転刃６を１８０度回転させることにより、他の稜線を刃部６ａとして使用することができ、それだけ経済性を高めることができ、又、この場合、上記回転刃６は正方形断面の角柱状に形成され、回転刃６の表面及び裏面の各四個ずつ計八個の稜線のうちの表面の略Ｖ状をなして隣り合う二つの稜線及び残りの略Ｖ状をなして隣り合う二つの稜線並びに裏面の略Ｖ状をなして隣り合う二つの稜線及び残りの略Ｖ状をなして隣り合う二つの稜線をそれぞれ刃部６ａとしているので、回転刃６の製作を容易に行うことができると共に刃部６ａの摩耗時において、回転刃６を１８０度回転させると共に表裏反転させることにより、計八個の稜線を刃部６ａとして使用することができ、それだけ経済性を高めることができ、かつ、上記回転刃６の刃部６ａとしての隣り合う二つの直線状の稜線の上記固定刃７のすくい面７ｂ上における軌跡Ｐに適合した略Ｖ状をなして隣り合う二つの凹曲線状の稜線からなる上記固定刃７の刃部７ａに連なる固定刃７の表裏面である各すくい面７ｂ・７ｂにそれぞれ工具すくい角δを付与してなるから、破砕剪断抵抗を低減することができ、破砕機のモータ等の駆動源に対する負荷を低減することができ、経済性を向上することができる。
【００３１】
又、この場合、上記工具すくい角δは５°以上、３５°以下の範囲とされているから、剪断破砕性、刃先強度の向上、及び工具摩耗の低減、刃先の欠損防止を図ることができる。
【００３２】
又、この場合、上記回転刃６は回転軸４の軸線方向にして一定の位相差をもって複数個配設され、上記固定刃７は長尺板状に形成され、固定刃７に複数個の回転刃６の略Ｖ状をなして隣り合う二つの稜線からなる複数個の刃部６ａに対向する略Ｖ状をなして隣り合う二つの稜線からなる複数個の刃部７ａを鋸刃状に形成しているから、複数個の回転刃６と複数個の固定刃７により剪断破砕がなされ、被破砕物Ｗの破砕効率を高めることができ、又、この場合、上記固定刃７のすくい面７ｂは水平軸線Ｌに対して回転軸４に向かって角度α分の前下がり状に傾斜しているので、被破砕物Ｗを回転刃６に向けて自重によって落走させる作用を得ることができ、それだけ被破砕物Ｗの給送を確実に行うことができる。
【００３３】
又、この場合、上記破砕機体１側に上記固定刃７の刃部７ａと反対側の基部側を保持可能な押さえ部材１４をもつ固定刃保持機構１２を設けているから、固定刃７の保持強度を向上することができ、被破砕物Ｗの剪断破砕を良好に継続することができ、剪断破砕効率を向上することができる。
【００３４】
又、この場合、上記固定刃保持機構１２は、上記固定刃７の刃部７ａと反対側の基部側後面に凸条部７ｄを突設し、上記押さえ部材１４を断面Ｔ状の長尺状に形成して固定刃７の凸条部７ｄの上下面７ｅ・７ｅに当接可能な押さえ面１４ａ・１４ａを形成しているから、固定刃７の凸条部７ｄの上下面７ｅ・７ｅと押さえ部材１４の押さえ面１４ａ・１４ａとの当接作用により上記固定刃７の刃部７ａと反対側の基部側を確実に保持することができ、固定刃７を取り付ける取付ボルト１５の破断も確実に防ぐことができる。
【００３５】
図１５の第二形態例は固定刃７の別例構造を示し、この場合、逃げ面７ｃは、固定刃７を表裏反転して表裏面の刃部７ａ・７ａを使用するようにしているため、表側の刃部７ａの使用時における上記刃部６ａの回転軌跡面Ｆに近接する逃げ面７ｃ及び反転後の裏側の刃部７ａの使用時における上記刃部６ａの回転軌跡面Ｆに近接する逃げ面７ｃが形成され、かつ、回転刃６の回転軸線Ｏの配置上、二つの逃げ面７ｃ・７ｃの境界部分に平坦な頂面が形成されている。
【００３６】
図１６の第三形態例も固定刃７の別例構造を示し、この場合、逃げ面７ｃは、固定刃７を表裏反転して表裏面の刃部７ａ・７ａを使用するようにしているため、表側の刃部７ａの使用時における上記刃部６ａの回転軌跡面Ｆに近接する逃げ面７ｃ及び反転後の裏側の刃部７ａの使用時における上記刃部６ａの回転軌跡面Ｆに近接する逃げ面７ｃが形成され、かつ、製作上、上記刃部６ａの回転軌跡面Ｆに近接する弧状面に形成されている。
【００３７】
図１７の第四形態例も固定刃７の別例構造を示し、この場合、逃げ面７ｃは、固定刃７を表裏反転して表裏面の刃部７ａ・７ａを使用するようにしているため、表側の刃部７ａの使用時における上記刃部６ａの回転軌跡面Ｆに近接する逃げ面７ｃ及び反転後の裏側の刃部７ａの使用時における上記刃部６ａの回転軌跡面Ｆに近接する逃げ面７ｃが形成され、かつ、製作上、上記刃部６ａの回転軌跡面Ｆに近接する弧状面に形成され、さらに、回転刃６の回転軸線Ｏの配置上、二つの逃げ面７ｃ・７ｃの境界部分に平坦な頂面が形成されている。
【００３８】
これら各実施の形態例にあっても、上記第一形態例と同様な作用効果を得ることができる。
【００３９】
尚、本発明は上記実施の形態例に限られるものではなく、例えば破砕機体１、回転刃６、固定刃７、逃げ面７ｃの形状や構造並び材質等は適宜設計して変更されるものである。
【００４０】
以上、所期の目的を充分達成することができる。
【符号の説明】
【００４１】
Ｗ    被破砕物
Ｐ    軌跡
Ｌ    水平軸線
Ｏ    回転軸線
θ    剪断角度
Ｆ    回転軌跡面
１    破砕機体
２    破砕室
４    回転軸
５    回転体
６    回転刃
６ａ    刃部
６ｂ    すくい面
７    固定刃
７ａ    刃部
７ｂ    すくい面
７ｃ    逃げ面
７ｄ    凸条部
７ｅ    上下面
１２    固定刃保持機構
１４    押さえ部材
１４ａ    押さえ面
【図１】
2014104422.tif 000003
【図２】
2014104422.tif 000004
【図３】
2014104422.tif 000005
【図４】
2014104422.tif 000006
【図５】
2014104422.tif 000007
【図６】
2014104422.tif 000008
【図７】
2014104422.tif 000009
【図８】
2014104422.tif 000010
【図９】
2014104422.tif 000011
【図１０】
2014104422.tif 000012
【図１１】
2014104422.tif 000013
【図１２】
2014104422.tif 000014
【図１３】
2014104422.tif 000015
【図１４】
2014104422.tif 000016
【図１５】
2014104422.tif 000017
【図１６】
2014104422.tif 000018
【図１７】
2014104422.tif 000019
【図１８】
2014104422.tif 000020